(57)【特許請求の範囲】
【請求項１】
樹脂製の膨脹タンクの下部に設けた水流通口と温水循環式暖房装置の温水循環路とを接続する接続具を、上端を水流通口に接続する接続口を備えた外筒と、下部で温水循環路に連なり上部を該膨脹タンク内に臨ませた外筒内に設けた内筒とから成る内外２重筒で構成し、該内筒の膨脹タンク内の水面下に臨む部分に、循環水の膨脹タンクへの流入口を設け、外筒に膨脹タンクから循環水が流出する流出口を設け、膨脹タンク内の水位を知る水位計を、該膨脹タンク内の水位の上限水位位置と下限水位位置とを表示した水位表示管と、水位検知回路とで構成し、該水位表示管は、その上下端部を膨脹タンクの水面より上と水面より下に接続する接続管とで接続し、該両接続管から分岐する電気絶縁材からなる分岐管に導電管の上下を接続して該導電管を前記水位表示管と並列に設け、該導電管とその下部に接続する電気絶縁性の接続管の高さ位置を、前記水位表示管の下限水位位置又はこれより僅かに下方位置に設けて、該導電管を前記水位検知回路の一部としたことを特徴とする温水循環式暖房機における膨脹タンク装置。
【請求項２】
前記内筒に設けた流入口は、内筒の側面に設けた複数個の小孔で構成したことを特徴とする請求項１記載の温水循環式暖房機における膨脹タンク装置。
【発明の詳細な説明】
【０００１】
【発明の属する技術分野】
本発明は、温水循環式暖房装置の循環路に介在させて、循環路内の圧力を調整並びに循環水に含まれる気泡を除去する膨脹タンクの取り付け構造に関する。
【０００２】
【従来の技術】
従来、循環路にＴ字路部を設け、該Ｔ字路部に樹脂製の膨脹タンクを、その下部に設けた水流通口で接続させたものは知られている（実公昭５１−１４６６２号公報）。
【０００３】
【発明が解決しようとする課題】
しかし上記公報に知られるものは、図３に示すごとく、ボイラーａと放熱器ｆとを接続する循環路ｂにＴ字路部ｂ´を設け、該Ｔ字路部ｂ´に樹脂製の膨脹タンクｃを、その下部に設けた水流通口で接続したものでは、循環水に含まれる空気が循環水の流れに引き込まれ勝手で分離し難くいという不具合がある。
そこで、図４に示すごとく、膨脹タンクｃの側面に循環水の流入口ｄを設けると共に膨脹タンクｃの下面に循環水の流出口ｅを設けて、該循環水を一旦膨脹タンクｃ内に流入させて循環水の流速を落として循環水に含まれる気泡の分離除去することが考えられる。
しかし、このものは、膨脹タンクｃの側面に一体に流入口ｄを形成しなければ成らないため、循環水の熱膨張による圧力上昇に耐える樹脂製の膨脹タンクを、安価に製造できるブロー成形によって製造することは難しい。即ち、パリソンはその長手方向には材料を増減して厚み等を調節することができるが、これと直交する横方向には材料の増減ができず、図４に示すごとく膨脹タンクの側面に流入口ｄを設けたものをブロー成形で一体に形成することはできない。
本発明はかかる現状に鑑み、上記不具合のない温水循環式暖房装置用膨脹タンクを得ることを課題とする。
【０００４】
【課題を解決するための手段】
本願の請求項１に記載の発明は、樹脂製の膨脹タンクの下部に設けた水流通口と温水循環式暖房装置の温水循環路とを接続する接続具を、上端を水流通口に接続する接続口を備えた外筒と、下部で温水循環路に連なり上部を該膨脹タンク内に臨ませた外筒内に設けた内筒とから成る内外２重筒で構成し、該内筒の膨脹タンク内の水面下に臨む部分に、循環水の膨脹タンクへの流入口を設け、外筒に膨脹タンクから循環水が流出する流出口を設けたことで、循環水を膨脹タンク内に流入させて流速を下げることにより、循環水に含まれる空気の分離を促すことができ、しかも、該膨脹タンクは、上面に水注入口兼通気孔用の開口部を設け、下面に水流通口を設けたので、樹脂を用いたブロー成形により耐圧性のある膨脹タンクを得られる。また、膨脹タンク内の水位を知る水位計を、該膨脹タンク内の水位の上限水位位置と下限水位位置とを表示した水位表示管と、水位検知回路とで構成し、該水位表示管は、その上下端部を膨脹タンクの水面より上と水面より下に接続する接続管とで接続し、該両接続管から分岐する電気絶縁材からなる分岐管に導電管の上下を接続して該導電管を前記水位表示管と並列に設け、該導電管とその下部に接続する電気絶縁性の接続管の高さ位置を、前記水位表示管の下限水位位置又はこれより僅かに下方位置に設けて、該導電管を前記水位検知回路の一部としたことで、膨脹タンク内の水位の下限水位位置又はこれより僅かに下位置まで循環水があれば、該循環水を介して水位検知回路が導通し、なければ非導通となる。従って該水位検出回路にランプ、ブザー等の表示器を介在させれば簡単に循環水の有無を確認できる。
【０００５】
本願の請求項２に記載の発明は、請求項１に記載の発明において、内筒に設けた流入口を内筒の側面に設けたことで、該流入口からタンク内に流れ込む循環水は、タンク内の横方向に広がるため、タンク内の水面に作用することがなく、循環水がタンク内の水面に作用して水音を発することを防げる。
【０００７】
【発明の実施の形態】
本発明実施の形態を図に付き説明する。
図でＡはボイラー１と放熱器２とを温水循環路３で接続した温水循環式暖房装置、４は該温水循環式暖房装置Ａの温水循環路３に介在させた膨脹タンクを示し、該膨脹タンク４は、下部に水流通口５を備え、上部に水注入口兼通気孔用の開口部６を備え、その開口部６に排気用の逆止弁７と吸気用の逆止弁８とを組み込んだキャップ９を取り外し自在に設け、該排気用の逆止弁７並びに吸気用の逆止弁８の働きで該温水循環式暖房装置Ａ内の圧力を一定に保つ。
膨脹タンク４は、円筒型のタンク本体４ａと、タンク本体４ａの中央下面から下方に突出する筒状部４ｂと、タンク本体４ａの上面の一側の偏った位置に、斜め上方に突出する筒状部４ｃ並びに該タンク本体４ａの上面と下面に後述する水位計１７の両端を接続する管状突起４ｄ、４ｄを備え、これをポリプロピレン等の樹脂でブロー成形したもので、タンク本体４ａから突出する筒状部４ｂ、４ｃ、管状突起４ｄ、４ｄは全てパリソンの長手方向に存在するため簡単にブロー成形することができた。
なお、該筒状部４ｂの下端を前記水流通口５とし、筒状部４ｃの内周面を開口部６とし、キャップ９は該筒状部４ｃの外周に螺合結着させる。なお、キャップ９には空気流通用の小孔１１を設けた。
【０００８】
１２は該膨脹タンク４を、温水循環路３に接続する接続具を示し、該接続具１２は、上端を前記水流通口５に接続する接続口１３ａを備えた外筒１３と、下部で温水循環路３に連なり上部を該膨脹タンク４内に臨ませた前記外筒１３を貫通させて設けた内筒１４とから成る金属製の内外２重筒で形成し、外筒１３はその下部を内筒１４の周囲に水密に結着し、該内筒１４の膨脹タンク４内の水面下に臨む部分に、循環水の膨脹タンク４への流入口１５を設け、外筒１３の側面に膨脹タンク４から温水循環路３に循環水が流出する流出口１６を設けた。
【０００９】
なお、流入口１５を内筒１４の上端に設けると、該流入口１５から噴水のように循環水が膨脹タンク４内に流入し水音を生じる。これを防ぐため内筒１４の周面に複数個の孔を穿ってこれを流入口１５とし、該流入口１５から膨脹タンク４内の横方向に流入させることで上記水音を発生させないようにした。
【００１０】
前記水位計１７は、水位表示管１８と電気的に水位を検出する水位検知回路１９とで構成される。該水位表示管１８は、膨脹タンク４内の水位高さで外部から確認できる位置に設けられ、液面の上限位置に対応する目印１８ａと下限位置に対応する目印１８ｂを施した透明な樹脂管で構成し、前記管状突起４ｄ、４ｄに接続した接続管２０、２０を該水位表示管１８の上下端に接続して該水位表示管１８を膨脹タンク４内と連通させた。
そして、前記水位検知回路１９はその一部を、水位表示管１８と並列に設けられ、上下端を接続管２０、２０から分岐する電気絶縁性の分岐管２１、２１に接続した導電性のゴム管等から成る導電管２３で構成した。
これを説明すると、該導電管２３と下方の接続管２２との接続高さ位置Ｃを、水位表示管１８の下限位置に対応する目印１８ｂ位置、又はこれより僅かに下方位置に設けて、該導電管２３を膨脹タンク４内の水面検出回路１９の一部とし、該導電管２３と例えば金属製の接続具１２とをリード線２４で接続して水面検出回路１９を構成させる。
かくするときは、膨脹タンク４内に循環水が有る、即ち、水位表示管１８の下限位置に対応する目印１８ｂ位置より上に循環水があれば、導電管２３は循環水と接触しているため、循環水を介して該水面検出回路１９は導通状態となるが、膨脹タンク４内に循環水がなくなると、導電管２３と循環水との接触が断たれるため、該水面検出回路１９は非導通となり、膨脹タンク４内の循環水の有無を検出できる。
【００１１】
したがって、該水位検出回路１９からの信号をマイコン２５に入力し、マイコン２５でこれを処理し、水切れ状態のとき表示手段２６、例えばランプを点灯させ、又はブザを鳴らしてこれを表示すると共に、接点２７ａをボイラー１及び循環ポンプの運転回路２９に介在させたリレー２７の励磁を解くことでボイラー１及び循環ポンプの運転を停止させることができる。
なお、導電管２３へのリード線２４はその先端を、該電気絶縁材からなる接続管２２に導電管２３を差し込む部分を締付ける締付けバンド２８で締付固定して接続した。
【００１２】
本温水循環式暖房装置Ａの温水循環路３への給水は、排気用の逆止弁７と吸気用の逆止弁８と共にキャップ９を外し、開口部６より予め定められた高さ位置、即ち膨脹タンク４の略中央位置の上限水位位置に至るまで注入する。この状態でボイラー１を稼働させて水を加熱すると、水の温度上昇による温水の膨脹により漸次温水循環路３内の圧力が高まり、その圧力が所定圧力以上になると、排気用の逆止弁６が開き膨脹タンク４内の圧力を所定の圧力に保つ。
ボイラー１による加熱を停止させると、温水循環路３内の圧力は下がり、その圧力が外気より低くなると、吸気用の逆止弁８が開かれ、膨脹タンク４内に外気が取り入れられる。
このようにして、排気用の逆止弁７と吸気用の逆止弁８との働きで温水循環路３内の圧力は略一定に保たれる。
【００１３】
【発明の効果】
請求項１に記載の発明によるときは、膨脹タンクとは別個に接続具を設け、該接続具を該膨脹タンクに接続するだけで簡単に、循環水を膨脹タンク内に流入させて流速を下げて循環水に含まれる気泡を分離することができ、しかも、該膨脹タンクは、上面に水注入口兼通気孔用の開口部を設け、下面に水流通口を設けたので、簡単に樹脂を用いたブロー成形加工ができて安価に得られる。また、膨脹タンク内の水位の下限水位位置又はこれより僅かに下位置まで循環水があれば、該循環水を介して水位検知回路が導通し、なければ非導通となることで、簡単に膨脹タンク内の循環水の有無を検出できる。
【００１４】
請求項２に記載の発明によるときは、上記効果に加えて該流入口からタンク内に流れ込む循環水は、タンク内の横方向に広がるため、タンク内の水面に作用することがなく、循環水がタンク内の水面に作用して水音を発生することを防げる。
【図面の簡単な説明】
【図１】  要部の拡大截断面図
【図２】  膨脹タンクを暖房器に組込んだ状態の斜面図
【図３】  従来例を示す側面図
【図４】  他の従来例の要部の側面図
【符号の説明】
１  ボイラー        ２  放熱器              ３  温水循環路
４  膨脹タンク      ５  水流通口            ６  開口部
７  逆止弁          ８  逆止弁            １１  小孔
１２  接続具        １３  外筒              １４  内筒
１５  流入口        １６  流出口
【図１】
0003760397.tif 000002
【図２】
0003760397.tif 000003
【図３】
0003760397.tif 000004
【図４】
0003760397.tif 000005